(57)【特許請求の範囲】
【請求項１】
複数の画像を表示画面中に順次繰り返し表示する表示パネルユニットと、前記複数の画像中の特定画像表示に同期した開閉動作を行う光シャッタとを有する表示装置であって、
前記表示パネルユニットは、
現在時刻を示す現在時刻信号を出力する時刻参照部と、
前記時刻参照部から出力された現在時刻信号に対応する表示タイミング信号を前記表示パネルユニットの表示制御部へ出力する表示タイミング信号出力手段とを含み、
前記表示タイミング信号は一定期間における前記現在時刻信号を参照する前記複数の画像の繰り返し表示パターンからなり、
前記光シャッタは、
現在時刻を示す現在時刻信号を出力する時刻参照部と、
前記時刻参照部から出力された現在時刻信号に対応する開閉タイミング信号を前記光シャッタの開閉制御部へ出力する開閉タイミング信号出力手段とを含み、
前記開閉タイミング信号は一定期間における前記現在時刻信号を参照する前記光シャッタの開閉パターンからなることを特徴とする表示装置。
【請求項２】
前記表示タイミング信号出力手段は、
前記表示タイミング信号及び前記開閉タイミング信号を生成するタイミング信号生成部と、
前記タイミング信号生成部で生成された前記開閉タイミング信号を間欠的に前記光シャッタへ送信する無線送信部とを含み、
前記開閉タイミング信号出力手段は、
前記無線送信部から送信された前記開閉タイミング信号を受信する無線受信部を含む請求項１に記載の表示装置。
【請求項３】
前記タイミング信号生成部及び前記無線送信部は、一又は二以上の前記表示パネルユニットへ前記表示タイミング信号を出力する信号処理部を含む請求項２に記載の表示装置。
【請求項４】
前記無線受信部は、一又は二以上の前記光シャッタへ前記開閉タイミング信号を出力する情報処理部を含む請求項２又は３に記載の表示装置。
【請求項５】
前記表示タイミング信号出力手段は、
初期値信号を生成する初期値信号生成部と、
前記初期値信号生成部で生成された前記初期値信号に対応する乱数信号を生成する乱数信号生成部と、
前記乱数信号生成部で生成された前記乱数信号に対応する前記表示タイミング信号を生成する表示タイミング信号生成部と、
前記初期値信号生成部で生成された前記初期値信号を間欠的に前記光シャッタへ送信する無線送信部とを含み、
前記開閉タイミング信号出力手段は、
前記無線送信部から送信された前記初期値信号を受信する無線受信部と、
前記無線受信部で受信された前記初期値信号に対応する乱数信号を生成する乱数信号生成部と、
前記乱数信号生成部で生成された前記乱数信号に対応する前記開閉タイミング信号を生成する開閉タイミング信号生成部とを含み、
前記表示タイミング信号出力手段の前記乱数信号生成部と前記開閉タイミング信号出力手段の前記乱数信号生成部とは、同一の初期値信号に対して同一の乱数信号を生成するものである請求項１に記載の表示装置。
【請求項６】
前記初期値信号生成部及び前記無線送信部は、一又は二以上の前記表示パネルユニットへ前記初期値信号を出力する信号処理部を含む請求項５に記載の表示装置。
【請求項７】
前記無線受信部は、一又は二以上の前記光シャッタへ前記初期値信号を出力する情報処理部を含む請求項５又は６に記載の表示装置。
【請求項８】
前記光シャッタの前記時刻参照部から出力される前記現在時刻信号に合うように、前記開閉制御部で用いられる前記開閉タイミング信号を調整する調整機能部を含む請求項１〜７のいずれか一項に記載の表示装置。
【請求項９】
前記時刻参照部が、ＧＰＳを利用したＧＰＳ計時部である請求項１〜８のいずれか一項に記載の表示装置。
【請求項１０】
表示パネルユニットにより複数の画像を表示画面中に順次繰り返し表示し、光シャッタにより前記複数の画像中の特定画像表示に同期した開閉動作を行う表示方法であって、
現在時刻を示す現在時刻信号を出力し、前記現在時刻信号に対応する表示タイミング信号を前記表示パネルユニットの表示制御部へ出力し、
前記表示タイミング信号は一定期間における前記現在時刻信号を参照する前記複数の画像の繰り返し表示パターンからなり、
現在時刻を示す現在時刻信号を出力し、前記現在時刻信号に対応する開閉タイミング信号を前記光シャッタの開閉制御部へ出力し、
前記開閉タイミング信号は一定期間における前記現在時刻信号を参照する前記光シャッタの開閉パターンからなることを特徴とする表示方法。
【請求項１１】
表示パネルユニットにより複数の画像を表示画面中に順次繰り返し表示し、光シャッタにより前記複数の画像中の特定画像表示に同期した開閉動作を行わせる表示動作制御プログラムであって、
コンピュータに、
現在時刻を示す現在時刻信号を出力する機能と、前記現在時刻信号に対応する表示タイミング信号を前記表示パネルユニットの表示制御部へ出力する機能と、
前記現在時刻信号に対応する開閉タイミング信号を前記光シャッタの開閉制御部へ出力する機能とを実行させ、
前記表示タイミング信号は一定期間における前記現在時刻信号を参照する前記複数の画像の繰り返し表示パターンからなり、
前記開閉タイミング信号は一定期間における前記現在時刻信号を参照する前記光シャッタの開閉パターンからなることを特徴とする表示動作制御用プログラム。
【発明の詳細な説明】
【技術分野】
【０００１】
本発明は、表示パネルユニット及び光シャッタ並びにこれらを備えた表示装置等に関し、特に複数画像を高速で切替えて表示する表示装置等に関する。
【背景技術】
【０００２】
現在、ノートパソコン、ＰＤＡ（Personal Digital Assistant）、携帯電話などは、列車や航空機などの乗り物、各種公共施設など、他者が存在する場所において日常的に使用されている。こうした動きは、ユビキタス情報社会の進展による公衆ＬＡＮ（Local
Area Network）設備の増加に伴い、今後更に加速すると予想される。こうした環境下では、周囲の人間にディスプレイの表示内容が見えてしまうという、セキュリティ上及びプライバシー上の問題が生じる。【０００３】
一方で、個人情報保護法の成立など秘密情報保護の風潮が強まっている。そのため、上述のような外での使用時だけでなく、職場などでデスクトップ機を使用する場合においても、機密性の高い情報は閲覧資格者以外から保護する、などの対策が必要とされている。【０００４】
こうした要求に対応する技術の一つとして、例えば、複数画像の表示とそれに同期した光シャッタとの組合せによる表示装置が特許文献１に開示されている。図１２は、特許文献１の表示装置の構成及び画像表示タイミングを示す説明図である。以下、この図面に基づき説明する。【０００５】
特許文献１の表示装置５００は、表示パネル５０１と、光シャッタ５０２と、これらを制御する表示制御部５０３と、からなる。表示装置５００では、本来表示したい画像である正常画像５１１と、正常画像５１１を反転させた反転画像５１２とを、切替えて表示するとともに、使用者の目前に存在する光シャッタ５０２の状態５１３を正常画像５１１に同期させて透過状態にする。これにより、光シャッタ５０２の使用者には正常画像５１１と等しい知覚画像５１４が認識され、周囲の不特定者には正常画像５１１と反転画像５１２との重畳された中間調（灰色）の知覚画像５１５が認識される。ここで、正常画像は、光シャッタ使用者が特別に視認したい画像であるため、以下「特定画像」という。【０００６】
しかしながら、特定画像の表示周期が一定の場合、その周期が判明してしまえば、同様の光シャッタを持つ他者に特定画像を認識されてしまう。【０００７】
こうした問題を解決する表示装置が、特許文献２に開示されている。図１３は、特許文献２の表示装置を示すブロック図である。以下、この図面に基づき説明する。【０００８】
特許文献２の表示装置６００は、光シャッタとしてのアクティブ・グラス６１０と、ディスプレイ６２７を備えたコンピュータ６２０とが、通信リンク６３０を介して接続されてなる。アクティブ・グラス６１０は、レシーバ６１１、デコーダ６１２、シャッタシーケンス制御部６１３、シャッタ付レンズ６１４等を有する。コンピュータ６２０は、表示可能アプリケーション・プログラム６２１、「充てん」パターン（スクリーン・セーバまたは意味不明のパターン）を表示するプログラム６２２、乱数ジェネレータ６２３、エンコーダ・アプリケーション６２４、置換デバイス・ドライバ６２５、データ同期ジェネレータ６２６、ディスプレイ６２７、トランスミッタ６２８等を有する。通信リンク６３０は赤外線やＲＦ（Radio Frequency）を用いた無線リンクである。【０００９】
表示装置６００では、連続する特定画像間に、それ以外の表示画像をランダムに挿入し、表示順序における特定画像表示のタイミング情報を基に、特定画像に同期させてアクティブ・グラス６１０を開閉させる。この結果、特定画像の表示周期はランダムとなるので、一定の表示周期で特定画像を表示している場合に比べ、セキュリティが高くなる。なお、アクティブ・グラス６１０（すなわち光シャッタ）において、「開」は透過状態を示し、「閉」は非透過状態を示す。【００１０】
このとき、通信技術において一般的に行われている送信情報の暗号化を施していれば、アクティブ・グラス６１０を有する他者が通信リンク６３０の送信信号を傍受したとしても、特定画像の表示タイミングを知ることはできない。【００１１】
【特許文献１】特開平６−１１０４０３号公報
【特許文献２】特開２００１−２５５８４４号公報
【発明の開示】
【発明が解決しようとする課題】
【００１２】
しかしながら、特許文献２のように、特定画像がランダムな表示周期であり、光シャッタの開閉を特定画像と同期させるための信号（以下「同期信号」という。）が暗号化されて、無線リンクによって光シャッタに送信される場合でも、次のような問題がある。すなわち、赤外線の遮断、他の機器の干渉などの理由から無線リンクが途切れる、又は、多重化による無線リンクへの高負荷などの理由から同期信号の送信終了前に画像表示が終了する、などの現象が生じると、リンクが回復するまで、特定画像表示と光シャッタ開閉とのタイミングが一致しなくなる。この現象を、以下「同期ずれ」という。この同期ずれが生じると、本来の光シャッタ使用者であっても特定画像を認識することができなくなる。【００１３】
また、特定画像が一定周期で表示されていれば、無線リンクが途切れた場合でも、その直前の光シャッタ開閉タイミングを維持することで特定画像を認識することは可能である。しかし、その場合、前述したように、他の光シャッタ所有者にも特定画像を認識されてしまう。【００１４】
なお、上述した特許文献２の課題は、光シャッタと表示パネルとの動作を無線通信で同期させる全ての表示装置に共通する課題である。【００１５】
そこで、本発明の目的は、上述した課題である無線通信の状態に起因する同期ずれを解決する表示装置等を提供することにある。
【課題を解決するための手段】
【００１６】
前記目的を達成するため、本発明に係る表示装置は、複数の画像を表示画面中に順次繰り返し表示する表示パネルユニットと、前記複数の画像中の特定画像表示に同期した開閉動作を行う光シャッタとを有する表示装置であって、
前記表示パネルユニットは、
現在時刻を示す現在時刻信号を出力する時刻参照部と、
前記時刻参照部から出力された現在時刻信号に対応する表示タイミング信号を前記表示パネルユニットの表示制御部へ出力する表示タイミング信号出力手段とを含み、
前記光シャッタは、
現在時刻を示す現在時刻信号を出力する時刻参照部と、
前記時刻参照部から出力された現在時刻信号に対応する開閉タイミング信号を前記光シャッタの開閉制御部へ出力する開閉タイミング信号出力手段とを含むことを特徴とする。【００１７】
本発明に係る表示パネルユニットは、表示装置の光シャッタと組み合わせて用いられ、複数の画像を表示画面中に順次繰り返し表示する表示パネルユニットであって、
現在時刻を示す現在時刻信号を出力する時刻参照部と、
前記時刻参照部から出力された現在時刻信号に対応する前記表示タイミング信号を前記表示制御部へ出力する表示タイミング信号出力手段とを含むことを特徴とする。【００１８】
本発明に係る光シャッタは、表示装置の表示パネルユニットと組み合わされ、前記表示パネルユニットが表示する複数の画像中の特定画像表示に同期した開閉動作を行う光シャッタであって、
現在時刻を示す現在時刻信号を出力する時刻参照部と、
前記時刻参照部から出力された現在時刻信号に対応する前記開閉タイミング信号を前記開閉制御部へ出力する開閉タイミング信号出力手段とを含むことを特徴とする。【００１９】
本発明に係る表示方法は、表示パネルユニットにより複数の画像を表示画面中に順次繰り返し表示し、光シャッタにより前記複数の画像中の特定画像表示に同期した開閉動作を行う表示方法であって、
現在時刻を示す現在時刻信号を出力し、前記現在時刻信号に対応する表示タイミング信号を前記表示パネルユニットの表示制御部へ出力し、
現在時刻を示す現在時刻信号を出力し、前記現在時刻信号に対応する開閉タイミング信号を前記光シャッタの開閉制御部へ出力することを特徴とする。【００２０】
本発明に係る表示動作制御用プログラムは、表示パネルユニットにより複数の画像を表示画面中に順次繰り返し表示し、光シャッタにより前記複数の画像中の特定画像表示に同期した開閉動作を行わせる表示動作制御プログラムであって、
コンピュータに、
現在時刻を示す現在時刻信号を出力する機能と、前記現在時刻信号に対応する表示タイミング信号を前記表示パネルユニットの表示制御部へ出力する機能と、
前記現在時刻信号に対応する開閉タイミング信号を前記光シャッタの開閉制御部へ出力する機能とを実行させることを特徴とする。
【発明の効果】
【００２１】
本発明によれば、表示パネルユニットと光シャッタとで常に無線通信をしながら画面の表示とシャッタ部の開閉との同期をとるのではなく、現在時刻に対して表示及び開閉を同期させているので、無線通信の状態に起因する同期ずれを解消できる。
【発明を実施するための最良の形態】
【００２２】
以下、本発明の実施形態を図に基づいて詳細に説明する。
図１は、本発明に係る表示装置の第一実施形態を示すブロック図である。以下、この図面に基づき説明する。【００２３】
本実施形態における表示パネルユニット１０は、シャッタ部２１を開くことにより光を透過させシャッタ部２１を閉じることにより光を遮蔽する光シャッタ２０に対して、表示タイミング信号に従ってシャッタ部２１が開いている時に特定画像をパネル部１１に表示しシャッタ部２１が閉じている時に非特定画像をパネル部１１に表示する表示制御部１２を備えたものである。そして、表示パネルユニット１０は、現在時刻を示す現在時刻信号を出力する時刻参照部１３と、時刻参照部１３から出力された現在時刻信号に対応する表示タイミング信号を表示制御部１２へ出力する表示タイミング信号出力手段１０ａと、を備えたことを特徴とする。【００２４】
「現在時刻信号に対応する表示タイミング信号」について、一例を述べる。現在時刻信号が示す現在時刻を、ｔ１，ｔ２，ｔ３，…とする。非特定画像として、特定画像を反転した反転画像を用いることとする。表示タイミング信号において、特定画像の表示を「１」とし、反転画像の表示を「０」とする。このとき、ｔ１〜ｔ２は「１」、ｔ２〜ｔ３は「０」、ｔ３〜ｔ４は「１」・・・というように、現在時刻信号に表示タイミング信号が対応している。例えば、現在時刻と設定時刻とを比較し、現在時刻が設定時刻に一致した場合に、その設定時刻に対応する「０」又は「１」を出力する。当然のことながら、各現在時刻の間隔は、光シャッタ２０の無い視聴者からは特定画像と反転画像とが重畳して中間調に見える値である。表示パネルユニット１０によれば、光シャッタ２０と常に無線通信をしながらシャッタ部２１の開閉とパネル部１１の表示との同期をとるのではなく、現在時刻に対して表示を同期させているので、無線通信の状態に起因する同期ずれを解消できる。【００２５】
本実施形態における光シャッタ２０は、特定画像と非特定画像とをパネル部１１に順次表示する表示パネルユニット１０に対して、開閉タイミング信号に従ってシャッタ部２１を開くことにより特定画像の光を透過させシャッタ部２１を閉じることにより非特定画像の光を遮蔽する開閉制御部２２を備えたものである。そして、光シャッタ２０は、現在時刻を示す現在時刻信号を出力する時刻参照部２３と、時刻参照部２３から出力された現在時刻信号に対応する開閉タイミング信号を開閉制御部２２へ出力する開閉タイミング信号出力手段２０ａと、を備えたことを特徴とする。【００２６】
「現在時刻信号に対応する開閉タイミング信号」について、一例を述べる。現在時刻信号が示す現在時刻を、ｔ１，ｔ２，ｔ３，…とする。開閉タイミング信号において、シャッタ開を「１」とし、シャッタ閉を「０」とする。このとき、ｔ１〜ｔ２は「１」、ｔ２〜ｔ３は「０」、ｔ３〜ｔ４は「１」・・・というように、現在時刻信号に開閉タイミング信号が対応している。例えば、現在時刻と設定時刻とを比較し、現在時刻が設定時刻に一致した場合に、その設定時刻に対応する「０」又は「１」を出力する。当然のことながら、各現在時刻の間隔は、非特定画像として特定画像の反転画像を用いるとすると、光シャッタ２０の無い視聴者からは特定画像と反転画像とが重畳して中間調に見える値である。光シャッタ２０によれば、表示パネルユニット１０と常に無線通信をしながらシャッタ部２１の開閉とパネル部１１の表示との同期をとるのではなく、現在時刻に対して開閉を同期させているので、無線通信の状態に起因する同期ずれを解消できる。【００２７】
本実施形態の表示装置１は、表示パネルユニット１０と光シャッタ２０とを備えたことを特徴とする。表示装置１によれば、表示パネルユニット１０と光シャッタ２０とで常に無線通信をしながらパネル部１１の表示とシャッタ部２１の開閉との同期をとるのではなく、現在時刻に対して表示及び開閉を同期させているので、無線通信の状態に起因する同期ずれを解消できる。また、表示タイミング信号及び開閉タイミング信号は、現在時刻に応じて表示のタイミングが不規則に変化する信号としてもよい。この場合は、表示及び開閉のタイミングの規則性を他者に盗み取られることがないので、よりセキュリティを向上できる。【００２８】
なお、「現在時刻」とは、標準時に限らず、ある基準となる時刻からの経過時間でもよい。「非特定画像」とは、特定画像以外の例えば反転画像、ダミー画像などをいう。表示タイミング信号出力手段１０ａ又は時刻参照部１３は、表示パネルユニット１０と同じ筺体内に設けてもよいし、その一部又は全部を表示パネルユニット１０とは別の筺体内に設けてもよいし、複数の表示パネルユニットで共用してもよい。同様に、開閉タイミング信号出力手段２０ａ又は時刻参照部２３は、光シャッタ２０と同じ筺体内に設けてもよいし、その一部又は全部を光シャッタ２０とは別の筺体内に設けてもよいし、複数の光シャッタで共用してもよい。表示タイミング信号出力手段１０ａは、表示タイミング信号を生成して出力してもよく、予めメモリ等に記憶された表示タイミング信号を読み出して出力してもよく、表示タイミング信号を生成してメモリ等に記憶して読み出して出力してもよく、表示タイミング信号と同じように開閉タイミング信号を生成又は読み出して光シャッタ２０へ無線通信を介して出力してもよい。同様に、開閉タイミング信号出力手段２０ａは、開閉タイミング信号を生成して出力してもよく、予めメモリ等に記憶された開閉タイミング信号を読み出して出力してもよく、開閉タイミング信号を生成してメモリ等に記憶して読み出して出力してもよく、開閉タイミング信号と同じように表示タイミング信号を生成又は読み出して表示パネルユニット１０へ無線通信を介して出力してもよい。表示パネルユニット１０と光シャッタ２０との間での無線通信では、常にタイミング信号を送受信するのではなく、間欠的にタイミング信号を送受信する。「間欠的にタイミング信号を送受信する」とは、例えば、一定時間毎にタイミング信号を送受信する、表示動作及び開閉動作を開始する前にタイミング信号を送受信しておくなどである。【００２９】
また、本実施形態の表示装置１は、次のような構成になっている。表示タイミング信号出力手段１０ａは、表示タイミング信号及び開閉タイミング信号を生成するタイミング信号生成部としての信号生成部１５と、信号生成部１５で生成された開閉タイミング信号を間欠的に光シャッタ２０へ送信する無線送信部としての通信部１７とを備えている。開閉タイミング信号出力手段２０ａは、通信部１７から送信された開閉タイミング信号を受信する無線受信部としての通信部２６を備えている。【００３０】
表示タイミング信号出力手段１０ａでは、時刻に対応する表示タイミング信号及び開閉タイミング信号を信号生成部１５が生成する。表示制御部１２は、時刻参照部１３から出力された現在時刻信号と信号生成部１５で生成された表示タイミング信号とに従って、特定画像と非特定画像とをパネル部１１に順次表示する。一方、通信部１７は、信号生成部１５で生成された開閉タイミング信号を、間欠的に光シャッタ２０へ送信する。開閉タイミング信号出力手段２０ａでは、通信部１７から送信された開閉タイミング信号を通信部２６が受信する。開閉制御部２２は、時刻参照部２３から出力された現在時刻信号と通信部２６で受信された開閉タイミング信号とに従って、シャッタ部２１を開閉して特定画像の光を透過させ非特定画像の光を遮蔽する。すなわち、表示装置１によれば、表示パネルユニット１０から光シャッタ２０へ開閉タイミング信号を間欠的に無線送信し、現在時刻に対して表示及び開閉を同期させているので、表示パネルユニット１０と光シャッタ２０とで常に無線通信をしながらパネル部１１の表示とシャッタ部２１の開閉との同期をとる場合に比べて、無線通信の状態に起因する同期ずれを解消できる。【００３１】
なお、表示タイミング信号出力手段１０ａが予め決められた表示タイミング信号を生成するか又は予めメモリ等に記憶された表示タイミング信号を読み出し、かつ、開閉タイミング信号出力手段２０ａが予め決められた開閉タイミング信号を生成するか又は予めメモリ等に記憶された開閉示タイミング信号を読み出す場合、通信部１７，２６を省略することもできる。この場合は、表示パネルユニット１０と光シャッタ２０とが予め決められた現在時刻に連動して動作するので、表示パネルユニット１０と光シャッタ２０とで通信する必要がないからである。【００３２】
以下、本実施形態の表示装置１について、更に詳しく説明する。【００３３】
本実施形態の表示装置１は、複数の画像を順次繰り返し表示する表示制御部１２を有する表示パネルユニット１０と、特定の画像表示に同期して開閉される光シャッタ２０とから構成されている。表示パネルユニット１０には、光シャッタ２０との信号送受信を行う通信部１７、画像の表示タイミング信号と光シャッタ２０の開閉タイミング信号を生成する信号生成部１５、表示タイミング信号などを格納するメモリ１４、現在時刻信号としての表示開始信号を発生させる時刻参照部１３、メモリ１４内の表示タイミング信号に一致するよう複数の画像をパネル部１１に順次繰り返し表示する表示制御部１２、光シャッタ２０に対して、各種選択メニューを提示し、選択されたメニューに応じた処理を行う処理部１６等が含まれる。【００３４】
パネル部１１は、例えばＬＣＤ（Liquid Crystal Display）であり、ＴＦＴ（Thin Film Transistor）基板、対向基板、これらに挟まれた液晶層からなる一般的なものである。パネル部１１を駆動する回路（前述のＬＣＤであればゲート駆動回路及びデータ駆動回路）は、パネル部１１に付属していてもよいし、表示制御部１２に含まれていてもよい。なお、パネル部１１は、ＬＣＤに限らず、ＬＥＤ（Light Emitting Diode）ディスプレイ、ＦＥＤ（Field Emission Display）ディスプレイ、有機ＥＬ（Electro Luminescence）ディスプレイなどの自発光型などであってもよいし、直視型に限らず、プロジェクタなどの投射型であってもよい。表示信号制御部１２は、例えばパネル部１１の駆動回路等である。【００３５】
時刻参照部１３は、標準電波、原子時計やＧＰＳ（Global Positioning System）などを利用して正確な時刻表示を行い、この時刻を基準にして、メモリ１４内に記録された表示タイミング信号にて画像が表示されるよう、現在時刻信号としての表示開始信号を発生させる。この場合、表示パネルユニット１０内の回路遅延は、表示開始信号の発生のタイミングで調整してもよいし、メモリ１４内に記録される表示タイミング信号が、予め遅延を考慮して指定されていてもよい。【００３６】
メモリ１４は、例えば半導体メモリやＨＤＤ（Hard Disk Drive）である。信号生成部１５は、例えばランダムな信号を発生する専用ＩＣや、マイクロコンピュータ及びそのプログラムである。処理部１６は、例えば専用ＩＣやマイクロコンピュータ及びそのプログラムである。通信部１７は、赤外線、電波などを用いる一般的な送受信回路及びアンテナである。【００３７】
光シャッタ２０には、表示パネルユニット１０との信号送受信を行う通信部２６、表示パネルユニット１０から送信された開閉タイミング信号などを格納するメモリ２４、開閉動作の基準となる時刻を参照する時刻参照部２３、メモリ２４内の開閉タイミング信号に一致するようシャッタ部２１を開閉させる開閉制御部２２、表示パネルユニット１０から送信される選択メニューへの対応などを行う処理部２５等が含まれる。【００３８】
シャッタ部２１は、光の透過と遮蔽とを切替えられるのであればどのようなものでもよく、例えば液晶を利用したものであってもよいし、機械式であってもよい。表示パネルユニット１０において決定された表示タイミング信号を基に、シャッタ部２１の開閉タイミング信号が決定され、通信部２６を通してその情報はメモリ２４に収納される。その後の動作は表示パネルユニット１０に準ずる。また、シャッタ部２１の開閉タイミング信号を光シャッタ２０において決定し、それを基に表示パネルユニット１０において視聴画像の表示タイミング信号を決定してもよい。ただし、複数の視聴者が存在する場合や、光シャッタ２０の簡易性の要請を考慮すると、表示パネルユニット１０において画像表示タイミングを決定する方が望ましい。なお、表示パネルユニット１０及び光シャッタ２０において、キーボードやタッチパネル部などの入力部の図示は省略している。【００３９】
開閉制御部２２は、例えばシャッタ部２１を開閉するための駆動回路である。時刻参照部２３、メモリ２４、処理部２５及び通信部２６の構成は、前述した時刻参照部１３、メモリ１４、処理部１６及び通信部１７に準ずる。表示パネルユニット１０と光シャッタ２０とは、無線通信３１，３２によって接続されている。【００４０】
次に、本実施形態の表示装置１について、言葉を換えてもう一度詳しく説明する。【００４１】
本実施形態の表示装置１は、複数の画像を表示画面中に順次繰り返し表示させる表示パネルユニット１０と、複数画像中の特定画像表示に同期した開閉動作を行う光シャッタ２０とを備えたものであって、表示パネルユニット１０及び光シャッタ２０のそれぞれが時刻参照部１３，２３を有する。時刻参照部１３から出力された現在時刻信号と、信号生成部１５で生成された表示タイミング信号とに従って表示パネルユニット１０の画像表示が行われ、時刻参照部２３から出力された現在時刻信号と、表示パネルユニット１０から供給される時刻情報を含む開閉タイミング信号に従って光シャッタ２０の開閉が行われることを特徴とする。【００４２】
光シャッタ２０は、予定される動作開始以前に開閉タイミング信号が供給され、時刻参照部２３から出力されたある時刻に対して、開閉タイミング信号に従った動作を行う。同様に、表示パネルユニット１０は、時刻参照部１３から出力されたある時刻に対して、表示タイミング信号に従った画像表示を行う。開閉タイミング信号は、特定画像視認開始以前に光シャッタ２０に送られるため、視認中に通信状態が変化しても、画像表示とシャッタ開閉のタイミングにずれは生じない。また、特定画像と反転画像の画像表示順序をランダムにすると、特定画像の表示タイミングは、画像表示以前に個別に送信されたタイミング信号を取得した者にしか知られないため、画像閲覧資格を有さない光シャッタの保有者が不正に特定画像を視認することのできない、高レベルのセキュリティをも実現できる。【００４３】
開閉タイミング信号には、開閉動作開始からある一定期間までの開閉タイミングが記されている。こうしたタイミングは、時刻、又は、ある時刻からの経過時間で全てを表してもよいし、使用される開閉パターンとその回数とを組合せて表してもよい。表示タイミング信号の場合も、各画像の表示タイミングを、開閉タイミングと同様に指定すればよい。こうした情報は暗号化されて送られてもよい。【００４４】
光シャッタ２０は、形状に特に制限はなく、メガネ型（通常使用するメガネへの装着型も含む。）、カード型（方形である必要はない。）、フィルム状など、どのような形状であってもよい。また、光シャッタ２０は、単体で存在する形状であってもよいし、携帯電話、ＰＤＡ、ノートＰＣ（Personal Computer）など他の機器に付属、又は組み込まれた形状であってもよい。更に、光シャッタ２０は、特定画像視認に伴う使用料金の決済機能を備えていてもよい。その決済は、口座引き落とし、通信料への課金、プリペイドカードの使用など、様々な方法を用いてよい。【００４５】
複数表示される画像に特定画像とその反転画像が含まれる場合、両者の画像の明るさを時間積分したときに、特定画像が判別できないようにするには、両者の表示期間を同一にするとよい。ただし、必ずしもこれに限らず、どちらか一方の明るさを増加させ、その分表示期間を短くしても同様の効果が得られる。複数表示される画像にダミー画像が含まれる場合、特定画像や反転画像と同一の表示期間である必要はない。また、反転画像にダミー画像を重畳した画像を作成して用いてもよい。【００４６】
また、表示装置１は、一定期間が経過する前に、新たな開閉タイミング信号が光シャッタ２０に供給され、一定期間経過後、時刻参照部２３から出力された現在時刻信号と、新たな開閉タイミング信号に従って光シャッタ２０の開閉が行われるようにしてもよい。【００４７】
これにより、開閉タイミング信号の情報量が大きい場合でも、途中で情報を再送信しながら特定画像の視認を継続することが可能である。この場合、開閉タイミング信号の送信は、次の開閉タイミング信号が必要とされるまでのある一定期間内に行われればよい。そのため、表示パネルユニット１０と光シャッタ２０と間の無線リンクが一時的に途切れたり、高負荷がかかったりした場合でも、開閉タイミング信号の送信が正常に終了する。【００４８】
図２は、図１の表示装置の使用方法を示す概略図である。以下、この図面に基づき説明する。【００４９】
使用者は、光シャッタ２０を通して、表示パネルユニット１０に備えたパネル部１１の画面１１’を見る。このとき、光シャッタ２０の開閉タイミングが特定画像表示と同期することで、光シャッタ２０の使用者のみが特定画像を視認できる。【００５０】
これにより、複数画像を順次繰り返し表示させる表示パネルユニット１０と光シャッタ２０は、基準時刻を参照し、信号生成部１５で生成されメモリ１４，２４に格納されているタイミング信号を基に動作する。開閉タイミング信号は、特定画像の表示開始以前に表示パネルユニット１０から光シャッタ２０へと送られているため、画像表示中に信号の送受信が阻害された場合でも、両者の間に問題となるような同期ずれは生じない。【００５１】
また、一定期間経過後に開閉タイミング情報を再送信してもよい。その結果、開閉タイミング信号の情報量が大きい場合でも、途中で情報を再送信しながら特定画像の視認を継続することが可能である。この場合、開閉タイミング信号の送信は、次の開閉タイミング信号が必要とされるまでのある一定期間内に行われればよい。そのため、表示パネルユニット１０と光シャッタ２０の間の無線リンクが一時的に途切れたり、高負荷がかかったりした場合でも、開閉タイミング信号の送信が正常に行われる。また、特定画像と反転画像の画像表示順序をランダムにすると、特定画像の表示タイミングは、画像表示以前に個別に送信されたタイミング信号を取得した者にしか知られないため、画像閲覧資格を有さない光シャッタの保有者が不正に特定画像を視認することのできない、高レベルのセキュリティをも実現できる。【００５２】
なお、ここでは全ての複数画像の表示タイミング信号も開始信号に先立って生成してメモリ１４に格納しているが、光シャッタ２０の開閉タイミング、すなわち特定画像の表示タイミングだけを生成してメモリ１４に格納し、このタイミングを基準に他の画像を逐次表示を行うようにしてもよい。【００５３】
参照する基準時刻に対し正確に画像表示を行うためには、動作開始から実際の表示までの時間を正確に把握しておく必要がある。これはシャッタ２０の開閉についても同様である。これらは、例えば、規格により動作開始から実現までに要する時間及び許容誤差を予め決定しておいてもよいし、図示していないカウンタにより、動作開始から実際の画像表示又はシャッタ開閉までの時間をそれぞれ計測し、その値を用いてもよい。また、これら両者を組み合わせた方式でもよく、画像表示とシャッタ開閉が正しく同期するためのあらゆる手段が取られてよい。参照すべき基準時刻は、予め、動作開始から表示や開閉に掛かる時間分の補正がかけられた値が使われてもよいし、表示や開閉が行われる時刻がそのまま記述され、時刻参照時に補正をかける形であってもよい。【００５４】
時刻参照部１３，２３は、画像表示や光シャッタ開閉といったイベントのトリガとして使用するだけでなく、この部分を用いて表示パネルユニット１０や光シャッタ２０のクロック精度を高めてもよい。【００５５】
表示パネルユニット１０と光シャッタ２０とは有線接続により制御可能であってもよい。その場合でも、リアルタイムの同期信号送信方式以外に、本実施形態の説明で述べた間欠的な無線通信を用いて光シャッタ２０の開閉同期をとることも可能である。さらに、事前に有線接続によって、表示パネルユニット１０から光シャッタ２０に開閉タイミング信号を送信し、メモリ２４に格納した後、有線接続を切り離し、メモリ２４に格納されているタイミング信号を基に光シャッタ２０を動作させても良い。【００５６】
また、表示パネルユニット１０に表示される特定画像の内容は、表示パネルユニット１０外部からの画像情報により随時更新されてよい。図示していないが、パネル部１１は表示パネルユニット１０とは別に設けられてもよい。【００５７】
図３は、本発明に係る表示装置の第二実施形態を示すブロック図である。以下、この図面に基づき説明する。【００５８】
本実施形態の表示装置では、タイミング信号生成部としての信号生成部５２及び無線送信部としての通信部５１は、表示パネルユニット４０とは別の筺体からなるとともに一又は二以上の表示パネルユニットへ表示タイミング信号を出力する信号処理部５０に設けられている。表示タイミング信号出力手段４０ａは、メモリ４４、通信部４５及び信号処理部５０からなる。本実施形態の表示装置によれば、第一実施形態と同等の作用及び効果を奏するとともに、表示パネルユニットに信号生成部５２及び通信部５１等を設けなくてよいので、表示パネルユニットの構成を簡素化できる。【００５９】
つまり、本実施形態は、図１の表示パネルユニット１０を、画像表示機能を有する表示パネルユニット４０と、各種タイミング信号生成や選択メニューの提示や処理を行う信号処理部５０と、に分離した例である。なお、光シャッタは、第一実施形態と同じであるので、図示を省略している。【００６０】
これにより、表示パネルユニット４０の構成が簡素となる。信号処理部５０と表示パネルユニット４０とは、公衆通信網で接続されていてもよいし、専用回線で接続されていてもよい。ここでは、一つの信号処理部５０に対して一つの表示パネルユニット４０が接続されているが、一つの信号処理部５０に対して複数の表示パネルユニット４０を接続させることも可能である。さらに、図１の表示パネルユニットをサーバとして、これに表示パネルユニット４０を複数接続してもよい。【００６１】
次に、本実施形態の表示装置について、言葉を換えてもう一度説明する。【００６２】
本実施形態の表示装置は、複数の画像を表示画面中に順次繰り返し表示させる表示パネルユニット４０と、複数画像中の特定画像表示に同期した開閉動作を行う光シャッタ（図示せず）と、表示パネルユニット４０と光シャッタのそれぞれに生成した信号を送信する信号処理部５０を備えた表示装置であって、表示パネルユニット４０と光シャッタのそれぞれが時刻参照部４３，…を有し、信号処理部５０から、表示パネルユニット４０に対しては複数画像の表示タイミング信号が、光シャッタに対しては開閉タイミング信号が送信され、時刻参照部４３，…により参照されたある時刻に対して、表示パネルユニット４０は表示タイミング信号に従って動作し、光シャッタは開閉タイミング信号に従って動作することを特徴とする。【００６３】
パネル部４１、表示制御部４２、時刻参照部４３、メモリ４４、信号生成部５２及び処理部５３の構成は、例えば図１の第一実施形態におけるパネル部１１、表示制御部１２、時刻参照部１３、メモリ１４、信号生成部１５及び処理部１６に準ずる。通信部４５と通信部５１とは、例えば有線通信６０によって接続され、例えば有線通信の送受信回路等からなる。通信部５１は、図１の第一実施形態における通信部１７の構成及び機能を併せ持ち、光シャッタと無線通信を行う。【００６４】
この構成により、複数画像を順次繰り返し表示させる表示パネルユニット４０と光シャッタは、それぞれ、信号処理部５０から、予定される動作開始以前に与えられたタイミング信号を基に動作する。表示パネルユニット４０と光シャッタへのタイミング信号生成と送信、使用者への選択メニュー提示とそれに応じた処理などを信号処理部５０で行うようにすることで、表示パネルユニット４０の構成を簡素化できる。【００６５】
図４は、本発明に係る表示装置の第三実施形態を示すブロック図である。以下、この図面に基づき説明する。【００６６】
本実施形態の表示装置では、無線受信部としての通信部８４は、光シャッタ７０とは別の筺体からなるとともに一又は二以上の光シャッタへ開閉タイミング信号を出力する情報処理部８０に設けられている。開閉タイミング信号出力手段７０ａは、メモリ７４、通信部７５及び情報処理部８０からなる。本実施形態の表示装置によれば、第一実施形態と同等の作用及び効果を奏するとともに、光シャッタ７０に通信部８４等を設けなくてもよいので、光シャッタ７０の構成を簡素化できる。【００６７】
つまり、本実施形態は、図１の光シャッタ２０から、図１の表示パネルユニット１０又は図３の信号処理部５０との通信機能を、情報処理部８０として分離した例である。なお、表示パネルユニットは、第一又は第二実施形態と同じであるので、図示を省略している。【００６８】
これにより、光シャッタ７０の構成を簡素化することができる。光シャッタ７０と情報処理部８０とは、有線で接続されていてもよいし、ＲＦリンクや赤外線リンクなどの無線リンクであってもよい。光シャッタ７０と情報処理部８０とが有線で接続される場合、光シャッタ７０に固有性（ＩＤ保有など）は必要ないが、無線リンクの場合は送信先の光シャッタ７０を特定する必要がある。ここで、情報処理部８０は、パネル部８１を有する携帯電話、ＰＤＡ、ノートＰＣなどに内蔵することも可能である。【００６９】
次に、本実施形態の表示装置について、言葉を換えて、もう一度説明する。【００７０】
本実施形態の表示装置は、複数の画像を表示画面中に順次繰り返し表示させる表示パネルユニット（図示せず）と、複数画像中の特定画像表示に同期した開閉動作を行う光シャッタ７０と、光シャッタ７０に信号を送信する情報処理部８０と、表示パネルユニットと情報処理部８０とのそれぞれに生成した信号を送信する信号処理部（図３参照）を備えた表示装置であって、光シャッタ７０と表示パネルユニットとのそれぞれが時刻参照部７３，…を有し、信号処理部から、表示パネルユニットに対しては複数画像の表示タイミング信号が、光シャッタ７０に対しては情報処理部８０を経由して開閉タイミング信号が送信され、時刻参照部７３，…により参照されたある時刻に対して、表示パネルユニットは表示タイミング信号に、光シャッタ７０は開閉タイミング信号にそれぞれ従って動作することを特徴とする。【００７１】
シャッタ部７１、開閉制御部７２、時刻参照部７３、メモリ７４，８３及び処理部８２の構成は、例えば図１の第一実施形態におけるシャッタ部２１、開閉制御部２２、時刻参照部２３、メモリ２４及び処理部２５に準ずる。パネル部８１は、例えば一般的なＬＣＤである。通信部７５と通信部８４とは、例えば有線通信９０によって接続され、例えば有線通信の送受信回路等からなる。通信部８４は、図１の第一実施形態における通信部２６の構成及び機能を併せ持ち、信号処理部又は表示パネルユニットと無線通信を行う。【００７２】
これにより、信号処理部との情報のやり取り、開閉タイミング信号の光シャッタ７０への転送などの作業は、全て情報処理部８０で行うことになる。そのため、光シャッタ７０自体の構成は簡素となる。【００７３】
情報処理部８０と光シャッタ７０とは有線接続に限らない。ＲＦリンクや赤外線リンクなどの無線リンクを使用する場合は、暗号化を行うことが望ましい。なお、情報処理部８０は、複数の光シャッタ７０のうちの一つの筺体内に備えてもよい。【００７４】
また、情報処理部８０は、特定画像視認に伴う使用料金の決済機能を備えていてもよい。その決済は、口座引き落とし、通信料への課金、プリペイドカードの使用など様々な方法を用いてよい。情報処理部８０が、携帯電話、ＰＤＡ、ノートＰＣなどに内蔵される場合には、決済手段が兼用できる。【００７５】
図５は、本発明に係る表示装置の第四実施形態を示すブロック図である。以下、この図面に基づき説明する。【００７６】
本実施形態の表示装置は、光シャッタ１３０の時刻参照部１３４から出力される現在時刻信号に合うように、開閉制御部１３２で用いられる開閉タイミング信号を調整する調整機能部１３３が設けられている。開閉タイミング信号出力手段１３０ａは、調整機能部１３３、メモリ１３５、通信部１３６等からなる。【００７７】
本発明の実施形態に係る表示装置によれば、第一実施形態と同等の作用及び効果を奏するとともに、調整機能部１３３を設けたことにより、表示と開閉との同期を精度良く合わせることができる。【００７８】
つまり、本実施形態は、光シャッタ１３０に、開閉タイミングの調整機能部１３３を組み込んだ例である。なお、表示パネルユニットは、第一又は第二実施形態と同じであるため、図示を省略している。【００７９】
シャッタ部１３１、開閉制御部１３２、時刻参照部１３４、メモリ１３５及び通信部１３６の構成は、例えば図１の第一実施形態におけるシャッタ部２１、開閉制御部２２、時刻参照部２３、メモリ２４及び通信部２６に準ずる。なお、通信部１３６とメモリ１３５との間に、図１の第一実施形態における処理部２５を設けてもよい。【００８０】
この構成により、画像表示と光シャッタ開閉のタイミングが多少ずれた場合でも、調整を行うことが可能となる。好ましくは数十ナノ秒単位、より好ましくはナノ秒単位の調整が可能であることが望ましい。また、オーダーを切替えて、マイクロ秒単位、ミリ秒単位で調整可能であるようにしてもよい。調整機能部１３３は、図中では光シャッタ１３０内に組み込んであるが、時刻参照部１３４などとともに外部に設けてもよい。その場合、情報処理部（図４参照）に組み込まれた形でもよいし、調整機能として独立した機器であってもよい。【００８１】
調整機能部１３３は、例えばＰＬＬ回路で実現される。例えば、ＧＰＳ信号を用いると１秒ごとに基準信号を受信できるので、表示パネルユニット側又は光シャッタ１３０側のクロック周波数を分周したものをこの基準信号を用いて校正することにより、その校正した信号を取り出して使用する。例えば数十ナノ秒単位の調整をするには、各装置が数十ＭＨｚオーダーの基準クロック周波数を有していればよい。そこまでの精度を必要としない場合は、特に校正などはしないで、装置のクロック周波数を利用する。【００８２】
図６は、本発明に係る表示装置の第五実施形態を示すブロック図である。以下、この図面に基づき説明する。【００８３】
本実施形態の表示装置２は、複数画像を表示画面中に順次繰り返し表示させる表示パネルユニット１４０と、前記複数画像中の特定画像表示に同期した開閉動作を行う光シャッタ１５０と、光シャッタ１５０に信号を送信する情報処理部１７０と、表示パネルユニット１４０と情報処理部１７０のそれぞれに生成した信号を送信する信号処理部１６０とを備えている。そして、表示パネルユニット１４０及び情報処理部１７０は、それぞれ時刻参照部１４３，１７３を有している。信号処理部１６０から表示パネルユニット１４０に対しては、複数画像の表示タイミング信号が送信される。信号処理部１６０から情報処理部１７０に対しては、開閉タイミング信号が送信される。表示パネルユニット１４０は、時刻参照部１４３により参照されたある時刻に対して、表示タイミング信号に従った複数の画像表示を行う。光シャッタ１５０は、時刻参照部１７３から出力されたある時刻に対して、情報処理部１７０から供給される開閉タイミング信号に従った開閉動作を行う。表示タイミング信号出力手段１４０ａは、メモリ１４４、通信部１４５、信号処理部１６０等からなる。開閉タイミング信号出力手段１５０ａは、通信部１５３と、時刻参照部１７３を除く情報処理部１７０等からなる。【００８４】
表示パネルユニット１４０及び信号処理部１６０の構成は、例えば図３の第二実施形態の表示パネルユニット４０及び信号処理部５０に準ずる。光シャッタ１５０及び情報処理部１７０の構成は、時刻参照部１７３が情報処理部１７０に設けられている点を除き、例えば図４の光シャッタ７０及び情報処理部８０に準ずる。信号処理部１６０と情報処理部１７０とは、無線通信１８１，１８２によって接続されている。【００８５】
この構成により、第一実施形態と同等の作用及び効果を奏するほか、信号処理部１６０との情報のやり取り、光シャッタ１５０を開閉タイミング信号に合わせて開閉させる動作制御などの作業を、全て情報処理部１７０で行うことになるため、光シャッタ１５０の構成は更に簡素となる。【００８６】
すなわち、光シャッタ１５０には、シャッタ部１５１のほかに、情報処理部１７０との信号送受信を行う通信部１５３、及びシャッタ部１５１を開閉させる開閉制御部１５２のみが含まれる。【００８７】
情報処理部１７０には、信号処理部１６０及び光シャッタ１５０との信号送受信を行う通信部１７５、信号処理部１６０から受信した開閉タイミング信号などを格納するメモリ１７４、開閉動作の基準となる時刻を参照する時刻参照部１７３、及び、信号処理部１６０との信号送受信、光シャッタ１５０への開閉タイミング信号送信、パネル部１７１への画像表示などを行う処理部１７２が含まれる。ここで、光シャッタ１５０と情報処理部１７０は有線接続に限らない。【００８８】
これにより、信号処理部１６０との信号送受信、使用料金の支払い、開始信号発生、その後の光シャッタ１５０への開閉タイミング信号のリアルタイム送信などの作業は、全て情報処理部１７０が行う。そのため、光シャッタ１５０は、開閉制御部１５２によるシャッタ部１５１の開閉のみを行うことになるので、その構成は非常に簡素となる。例えば、シャッタ部１５１が液晶である場合は、開閉制御部１５２は単なる電圧印加部となる。【００８９】
図７は、本発明の各実施形態で用いられる開閉タイミング信号の一例を示す図表である。以下、この図面に基づき説明する。【００９０】
図７（ａ）は、光シャッタの開時刻と閉時刻を全て指定する形式である。上段は参照した基準時刻からの経過時間でタイミングを表現した相対時間表示であり、下段は時刻でタイミングを表現した絶対時刻表示である。上段の経過時間１が下段の開時刻１と、上段の経過時間２が下段の閉時刻１とにそれぞれ対応している。【００９１】
図７（ｂ）は、光シャッタの開期間を添付し、開閉時刻のうち、開時刻だけを指定するようにした形式である。やはり、上段は参照した基準時刻からの経過時間でタイミングを表現した相対時間表示であり、下段は時刻でタイミングを表現した絶対時刻表示である。これにより、信号量を図７（ａ）の場合の半分程度に抑えることができる。なお、この例では、シャッタ開期間が開始から終了まで一定となっているが、途中で開期間を変動させてもよい。【００９２】
図７（ｃ）は、光シャッタの開期間、参照した基準時刻からの経過時間、時間幅で構成された開閉パターン、そのパターンの繰返し回数、を指定する形式である。全ての繰返し回数が１の場合、これは図７（ｂ）とほぼ同一のタイミング指定形式となる。開期間は、この場合も途中で変動させてよい。例えば、ある一定期間はパターン１を繰り返し、次の期間はパターン２を繰り返すというような設定の仕方であってもよい。【００９３】
こうした情報の指定形式はあくまで一例であり、他の形式を用いてタイミングを規定してよい。また、これらの信号は、開始から終了までの情報を一度に送る必要はなく、何度かに分けて送ってもよい。【００９４】
複数表示される画像に特定画像とその反転画像が含まれる場合、両者の画像の明るさを時間積分したときに、特定画像が判別できないようにするには、両者の表示期間を同一にするとよい。ただし、必ずしもこれに限らず、どちらか一方の明るさを増加させ、その分表示期間を短くしても同様の効果が得られる。複数表示される画像にダミー画像が含まれる場合、特定画像や反転画像と同一の表示期間である必要はない。また、反転画像にダミー画像を重畳した画像を作成して用いてもよい。【００９５】
こうした画像表示信号の場合、画像の表示期間が一定であれば、最初の画像の表示タイミングだけを指定し、一定でない場合は、各画像の表示タイミングを指定すればよい。また、これらの情報は暗号化されてもよい。【００９６】
図８は、本発明に係る表示装置の第六実施形態を示すブロック図である。以下、この図面に基づき説明する。【００９７】
本実施形態の表示装置３において、表示タイミング信号出力手段１９０ａは、初期値信号を生成する初期値信号生成部としての信号生成部２１２と、信号生成部２１２で生成された初期値信号に対応する乱数信号を生成する乱数信号生成部としてのＰＲＮ（Pseudo Random Noise）発生器１９６と、ＰＲＮ発生器１９６で生成された乱数信号に対応する表示タイミング信号を生成する表示タイミング信号生成部としての符号器１９５と、信号生成部２１２で生成された初期値信号を間欠的に光シャッタ２００側へ送信する無線送信部としての通信部２１１とを備えている。開閉タイミング信号出力手段２００ａは、通信部２１１から送信された初期値信号を受信する無線受信部としての通信部２２４と、通信部２２４で受信された初期値信号に対応する乱数信号を生成する乱数信号生成部としてのＰＲＮ発生器２０６と、ＰＲＮ発生器２０６で生成された乱数信号に対応する開閉タイミング信号を生成する開閉タイミング信号生成部としての符号器２０５とを備えている。表示タイミング信号出力手段１９０ａのＰＲＮ発生器１９６と開閉タイミング信号出力手段２００ａのＰＲＮ発生器２０６とは、同一の初期値信号に対して同一の乱数信号を生成する機能を有する。このような機能は、ＰＲＮ発生器１９６，２０６の構成を同じにすることで容易に得られる。なお、「ＰＲＮ」とは、疑似ランダム信号であり、例えばＭ系列信号などの人工的に発生された不規則な信号をいう。【００９８】
表示パネルユニット１９０の表示タイミング信号出力手段１９０ａでは、信号生成部２１２が初期値信号を生成し、ＰＲＮ発生器１９６が初期値信号に対応する乱数信号を生成し、符号器１９５が乱数信号に対応する表示タイミング信号を生成する。表示制御部１９２は、時刻参照部１９３から出力された現在時刻信号と符号器１９５で生成された表示タイミング信号とに従って、特定画像と非特定画像とをパネル部１９１に順次表示する。一方、通信部２１１は、信号生成部２１２で生成された初期値信号を、間欠的に光シャッタ２００側へ送信する。光シャッタ２００の開閉タイミング信号出力手段２００ａでは、通信部２１１から送信された初期値信号を通信部２２４が受信し、ＰＲＮ発生器２０６が初期値信号に対応する乱数信号を生成し、符号器２０５が乱数信号に対応する開閉タイミング信号を生成する。開閉制御部２０２は、時刻参照部２０３から出力された現在時刻信号と符号器２０５で生成された開閉タイミング信号とに従って、シャッタ部２０１を開閉して特定画像の光を透過させ非特定画像の光を遮蔽する。【００９９】
表示装置３によれば、表示パネルユニット１９０側から光シャッタ２００側へ初期値信号を間欠的に無線送信し、現在時刻に対して表示及び開閉を同期させているので、表示パネルユニット１９０と光シャッタ２００とで常に無線通信をしながらパネル部１９１の表示とシャッタ部２０１の開閉との同期をとる場合に比べて、無線通信の状態に起因する同期ずれを解消できる。しかも、初期値信号は開閉タイミング信号に比べて情報量を極めて少なくできることにより、表示パネルユニット１９０から光シャッタ２００への無線送信時間を短縮できるので、無線通信の状態に起因する同期ずれをより確実に解消できる。【０１００】
また、表示装置３では、初期値信号生成部としての信号生成部２１２と無線送信部としての通信部２１１とが、表示パネルユニット１９０とは別の筺体からなるとともに一又は二以上の表示パネルユニットへ初期値信号を出力する信号処理部２１０に設けられている。そのため、表示装置３によれば、表示パネルユニット１９０に信号生成部２１２及び通信部２１１を設けなくてよいので、表示パネルユニット１９０の構成を簡素化できる。【０１０１】
更に、表示装置３では、無線受信部としての通信部２２４は、光シャッタ２００とは別の筺体からなるとともに一又は二以上の光シャッタへ初期値信号を出力する情報処理部２２０に設けられている。そのため、表示装置３によれば、光シャッタ２００に通信部２２４を設けなくてもよいので、光シャッタ２００の構成を簡素化できる。【０１０２】
次に、本実施形態の表示装置３について、言葉を換えて、もう一度説明する。【０１０３】
本実施形態の表示装置３は、複数画像を表示画面中に順次繰り返し表示させる表示パネルユニット１９０と、複数画像中の特定画像表示に同期した開閉動作を行う光シャッタ２００と、光シャッタ２００に信号を送信する情報処理部２２０と、表示パネルユニット１９０と情報処理部２２０のそれぞれに生成した信号を送信する信号処理部２１０を備えている。そして、表示パネルユニット１９０と光シャッタ２００とは、それぞれ、時刻参照部１９３，２０３と、同一の初期値に対しては必ず同一の結果が生じるＰＲＮ発生器１９６，２０６とを備えている。信号処理部２１０から、表示パネルユニット１９０に、及び情報処理部２２０を経由して光シャッタ２００に、それぞれ同一の初期値を含む情報が提供される。表示パネルユニット１９０では、時刻参照部１９３により参照されたある時刻に対して、同一の初期値がＰＲＮ発生器１９６に入力され、その出力結果に応じたパネル部１９１での複数画像の表示が行われる。光シャッタ２００では、時刻参照部２０３により参照されたある時刻に対して、同一の初期値がＰＲＮ発生器２０６に入力され、その出力結果に応じたシャッタ部２０１の開閉が行われる。【０１０４】
表示パネルユニット１９０及び信号処理部２１０の構成は、符号器１９５及びＰＲＮ発生器１９６を除き、例えば図３の第二実施形態の表示パネルユニット４０及び信号処理部５０に準ずる。光シャッタ２００及び情報処理部２２０の構成は、符号器２０５及びＰＲＮ発生器２０６を除き、例えば図４の第三実施形態の光シャッタ７０及び情報処理部８０に準ずる。信号処理部２１０と情報処理部２２０とは、無線通信２３１，２３２によって接続されている。【０１０５】
この構成により、信号処理部２１０から表示パネルユニット１９０及び光シャッタ２００に送信される情報は、ＰＲＮ発生器１９６，２０６の初期値などになるため、情報量を大きく削減することが可能となる。また、通信機能などを信号処理部２１０や情報処理部２２０に設けているため、表示パネルユニット１９０や光シャッタ２００の構成を簡素化できる。なお、ＰＲＮは、表示される画像の枚数に合わせた値に設定してその結果を符号化してもよいし、画像枚数とは異なる値に設定し、符号化に際して枚数に合わせた変換を行うようにしてもよい。ＰＲＮ発生器１９６，２０６は、同様の機能を有する他の装置で代替してもよい。通信機能に加えＰＲＮ発生器２０６も、情報処理部２２０に備えてもよい。この場合は、光シャッタ２００の構成を更に簡素化できる。【０１０６】
以下、本実施形態の表示装置３について、更に詳しく説明する。【０１０７】
本実施形態の表示装置３は、複数の画像を順次繰り返し表示する表示制御部１９２を有する表示パネルユニット１９０、画像表示に同期して開閉される光シャッタ２００、信号処理部２１０、情報処理部２２０等を備えている。信号処理部２１０は、表示パネルユニット１９０と情報処理部２２０とに、同一の初期値や参照すべき基準時刻などからなる情報２３３，２３２を送信する。情報処理部２２０は、信号処理部２１０と信号の送受信を行い、信号処理部２１０から受信した初期値及び基準時刻などからなる情報２３４を光シャッタ２００に転送する。【０１０８】
表示パネルユニット１９０には、信号処理部２１０との信号送受信を行う通信部１９７、信号処理部２１０から送信された初期値及び基準時刻を格納するメモリ１９４、同一の初期値を入力すると同一の結果を出力するＰＲＮ発生器１９６、ＰＲＮ発生器１９６の出力値を符号化する符号器１９５、初期値をＰＲＮ発生器１９６に入力させるタイミングを決定する時刻参照部１９３、符号器１９５より出力された符号に合わせて複数の画像をパネル部１９１に表示させる表示制御部１９２等が含まれる。【０１０９】
光シャッタ２００には、情報処理部２２０との信号送受信を行う通信部２０７、情報処理部２２０から送信された初期値、基準時刻、１画像当りの開閉期間などを格納するメモリ２０４、初期値をＰＲＮ発生器２０６に入力させるタイミングを決定する時刻参照部２０３、同一の初期値を入力すると同一の結果を出力するＰＲＮ発生器２０６、ＰＲＮ発生器２０６の出力値を符号化する符号器２０５、符号器２０５より出力された符号に合わせてシャッタ部２０１を開閉する開閉制御部２０２等が含まれる。【０１１０】
信号処理部２１０には、表示パネルユニット１９０及び情報処理部２２０との信号送受信を行う通信部２１１、表示パネルユニット１９０及び情報処理部２２０に送信するＰＲＮ発生器用の初期値、基準時刻、１画像の表示期間、シャッタの開閉期間など必要な情報を生成・規定する信号生成部２１２、情報処理部２２０への選択メニュー提供や、情報処理部２２０からのメニュー選択信号を受信し、それに応じた処理を行う処理部２１３等が含まれる。【０１１１】
情報処理部２２０には、信号処理部２１０及び光シャッタ２００との信号送受信を行う通信部２２４、信号処理部２１０から送信された初期値、１画像当りの表示期間、シャッタ開期間などの情報を格納するメモリ２２３、信号処理部２１０から送信される選択メニューへの対応やパネル部２２１への画像表示などを行う処理部２２２等が含まれる。【０１１２】
これにより、表示パネルユニット１９０中のＰＲＮ発生器１９６と光シャッタ２００中のＰＲＮ発生器２０６とには同一の初期値が入力され、その結果、同一の出力結果が生じる。これの出力結果がそれぞれ符号器１９５，２０５に入力され、入力された値に対応した符号化を行う。表示パネルユニット１９０と光シャッタ２００とは、基準時刻に対し、それぞれ与えられた符号及び表示期間に応じた動作を行う。【０１１３】
なお、ＰＲＮ発生器１９６，２０６は、同一の論理構成を有するので、初期状態を同一にした後、同一の初期値が入力されると同一の出力結果が生じる。【０１１４】
次に、本実施形態における、ＰＲＮ発生器の動作から画像表示までの動作の一例を以下に具体的に説明する。【０１１５】
例えば、特定画像、反転画像、公衆画像の三枚の画像を繰返し表示する場合を考える。ここで、全ての画像の表示期間は一定であるとする。開始信号が発生し、ＰＲＮ発生器１９６には、メモリ１９４内の初期値が入力され、＜０＞、＜１＞、＜２＞の３値を出力する。符号器１９５は、この出力値を［０］と［１］の組合せに変換する。このとき、符号化された値のうち、［１］が特定画像の表示に対応し、光シャッタ２００は［１］が出力されたタイミングで開状態になるものとする。符号器１９５により、ＰＲＮ発生器１９６の出力＜０＞は［００１］、＜１＞は［０１０］、＜２＞は［１００］に変換される。表示パネルユニット１９０は、符号器１９５から一定のタイミングで出力されるこれらの値に応じて各画像表示を行う。光シャッタ２００においても、メモリ２０４内の初期値、ＰＲＮ発生器２０６、符号器２０５により同様の動作が行われ、［０］符号が出力された場合は閉状態を維持し、［１］符号が出力された場合は、特定画像表示に対応するタイミングで、所定の期間、開状態となる。符号器２０５からの出力は、画像表示に対応するタイミングで行われる。【０１１６】
これにより、信号処理部２１０から表示パネルユニット１９０に送信される情報２３３、及び情報処理部２２０を通じて光シャッタ２００に送信される情報２３４は、基準時刻、１画像当りの表示期間、光シャッタ開閉期間、ＰＲＮ発生器の初期値などだけになるため、情報量を大きく削減することが可能となる。ＰＲＮは、表示される画像の枚数に合わせた値に設定してその結果を符号化してもよいし、画像枚数とは異なる値に設定し、符号化に際して枚数に合わせた変換を行うなど、ＰＲＮと符号化の組合せはどのようにしてもよい。ＰＲＮ発生器１９６，２０６は、同様の機能を有する他の装置で代替してもよい。【０１１７】
ここでは三画像の例を示したが、特定画像を分割して表示画像数を増やしてもよいし、反転画像に公衆画像を重畳させて１枚の画像とすることで、表示画像数を減らしてもよい。公衆画像の画像表示周期を特定画像・反転画像とは異なる値にしてもよい。また、ＰＲＮ発生器の出力を符号化した結果を、更に時刻情報に変換して使用しても構わない。基準時刻と初期値を送信しているが、基準時刻に合わせて初期値をＰＲＮ発生器に入力するようにしてもよいし、画像表示のタイミングが基準時刻となるようにしてもよい。また、他の方法をとってもよい。【０１１８】
図８で、光シャッタ２００に組み込んである各種機能は、図６で示したように、情報処理部２２０に設けられていても構わない。これは、ＰＲＮ発生器２０６や符号器２０５においても同様である。図１のように、情報処理部２２０の機能が光シャッタ２００に組み込まれてもよい。また、表示パネルユニット１９０に信号処理部２１０が組み込まれてもよい。【０１１９】
図９は、図６又は図７の表示装置の使用方法の一例を示す説明図である。以下、この図面に基づき説明する。【０１２０】
本例では、複数の光シャッタ２６１〜２６３の使用者が、それぞれ情報処理部２７１〜２７３により、公衆網２８０を通して信号処理部２５０にアクセスし、必要な選択と情報の受信を行った後、表示パネルユニット２４０の画面２４１に表示される画像から特定の画像を視認する。後から表示パネルユニット２４０にアクセスする者は、先行利用者へのタイミング情報再送信時に合わせてシャッタの開閉タイミングを受け取るようにする。情報再送までの期間が長い場合は、適当なタイミングで新たに開閉タイミング信号を生成かつ送信し、開始信号を発生させるようにしてもよい。特定画像は一種類でなくともよく、異なる複数の画像が表示され、同一の画面２４１において、選択により異なる特定画像を視認することも可能である。表示パネルユニット２４０、光シャッタ２６１〜２６３、信号処理部３１０及び情報処理部３２０の各構成は、例えば図６の表示装置２又は図８の表示装置３に準ずる。【０１２１】
ここでは、表示パネルユニット２４０と信号処理部２６０は分離しているが、これらを一体化していてもよい。また、信号処理部２６０には、一つの表示パネルユニット２４０しか接続されていないが、複数の表示パネルユニット２４０を接続してもよい。【０１２２】
図１０は、本発明に係る表示装置の第七実施形態を示すブロック図である。以下、この図面に基づき説明する。【０１２３】
時刻供給機能の一例として、衛星を利用した計時システムが挙げられる。すなわち、本実施形態の表示装置４は、時刻参照部をＧＰＳ計時部３２３で構成し、これを情報処理部３２０に備えた例である。【０１２４】
ＧＰＳ計時部３２３は、アンテナ３２４、ＧＰＳ受信部３２５及び時刻算出部３２６からなる。ＧＰＳにおいては１秒ごとに時刻信号が発信されており、アンテナ３２４を通してＧＰＳ受信部３２５で受けた前述の時刻信号を基に、衛星での発信からアンテナ３２４による受信までの遅延、その後の回路遅延などを考慮し、時刻算出部３２６において時刻算出を行う。通常は複数の衛星からの信号を比較することで、時刻が決定される。これらの信号は、毎回受信する必要はなく、適当な時間をおいて時刻算出を行ってもよい。【０１２５】
表示パネルユニット２９０及び信号処理部３１０の構成は、例えば図８の第六実施形態の表示パネルユニット１９０及び信号処理部２１０に準ずる。光シャッタ３００及び情報処理部３２０の構成は、時刻参照部としてのＧＰＳ計時部３２３を情報処理部３２０に設けている点を除き、例えば図８の第七実施形態の光シャッタ２００及び情報処理部２２０に準ずる。信号処理部３１０と情報処理部３２０とは、無線通信３３１，３３２によって接続されている。【０１２６】
表示装置４によれば、表示パネルユニット２９０側から光シャッタ３００側へ初期値信号を間欠的に無線送信し、現在時刻に対して表示及び開閉を同期させているので、表示パネルユニット２９０と光シャッタ３００とで常に無線通信をしながらパネル部２９１の表示とシャッタ部３０１の開閉との同期をとる場合に比べて、無線通信の状態に起因する同期ずれを解消できる。しかも、ＧＰＳの利用により、時刻情報精度が数マイクロ秒（状況によってはサブマイクロ秒）のシステム構築が可能となる。また、ＧＰＳ信号は、位置情報をその中に含んでいるため、特定画像の表示地点と、光シャッタ使用者の位置とが離れても、それに対応して正確な時刻情報の再現が可能である。つまり、パネル部と視聴者の位置が大きく、例えば数百ｍの単位でずれている場合、位置情報を有していれば、表示された画像が届くまでの時間を自動的に補正することが可能になる。【０１２７】
こうしたＧＰＳ信号の入力は、トリガにするだけでなく、クロック周波数の精度を高めるのに用いてもよい。【０１２８】
図１１は、本発明に係る制御プログラムの一実施形態を示すフローチャートである。以下、図１及び図１１に基づき説明する。【０１２９】
本実施形態の制御プログラムは、図１の表示装置１で実行されるものである。本実施形態の表示パネルユニット１０の制御プログラムは、シャッタ部２１を開くことにより光を透過させシャッタ部２１を閉じることにより光を遮蔽する光シャッタ２０に対して、表示タイミング信号に従ってシャッタ部２１が開いている時に特定画像をパネル部１１に表示しシャッタ部２１が閉じている時に非特定画像をパネル部１１に表示するためのものである。そして、本実施形態の表示パネルユニット１０の制御プログラムは、現在時刻を示す現在時刻信号を入力する処理（ステップＳ１０７）と、この現在時刻信号に対応する表示タイミング信号を用いてパネル部１１に特定画像及び非特定画像を表示する処理（ステップＳ１０９）とを、処理部１６内のコンピュータに実行させるためのものである。【０１３０】
本実施形態の光シャッタ２０の制御プログラムは、特定画像と非特定画像とをパネル部１１に順次表示する表示パネルユニット１０に対して、開閉タイミング信号に従ってシャッタ部２１を開くことにより特定画像の光を透過させシャッタ部２１を閉じることにより非特定画像の光を遮蔽するためのものである。そして、本実施形態の光シャッタ２０の制御プログラムは、現在時刻を示す現在時刻信号を入力する処理（ステップＳ１０８）と、この現在時刻信号に対応する開閉タイミング信号を用いてシャッタ部２１を開閉する処理（ステップＳ１１０）とを、処理部２５内のコンピュータに実行させるためのものである。【０１３１】
処理部１６，２５のコンピュータとは、例えば前述したマイクロコンピュータ（例えばＤＳＰ）であり、ＣＰＵ、ＲＯＭ、ＲＡＭ、入出力インタフェース等からなる一般的なものである。本実施形態の制御プログラムは、例えばＲＡＭにロードされ、ＣＰＵから命令列ごとに読み出され実行される。【０１３２】
以下、図１１のフローチャートを中心に更に詳しく説明する。【０１３３】
始めに、表示パネルユニット１０は「公衆画像表示」になっている（ステップＳ１０１）。ここで、使用者が光シャッタ２０のキーボート等（図示せず）を操作して「秘密画像（すなわち特定画像）視聴要求」を入れる。すると、光シャッタ２０の処理部２５は通信部２６，１７を介して、表示パネルユニット１０の処理部１６へ指示を出し、処理部１６は「秘密画像表示モード」となる（ステップＳ１０２）。続いて、処理部２５は、図示しないパネル部にメニュー表示を行い、使用者に選択可能画像、料金、時間等の情報を入力させ（ステップＳ１０３）、その情報を通信部２６，１７を介して処理部１６へ送信する。続いて、処理部１６は、信号生成部１５に表示タイミング信号及び開閉タイミング信号を生成させ（ステップＳ１０４）、表示タイミング信号をメモリ１４に収納し（ステップＳ１０５）、開閉タイミング信号を通信部１７，２６を介して処理部２５へ送信する。処理部２５は、開閉タイミング信号をメモリ２４に収納する（ステップＳ１０６）。一方、処理部１６は時刻参照部１３から現在時刻信号を入力して開始信号を生成し（ステップＳ１０７）、現在時刻信号に対応する表示タイミング信号をメモリ１４から読み出し、これを用いて表示制御部１２を介しパネル部１１に特定画像及び非特定画像を表示する。これにより、表示パネルユニット１０は「秘密画像表示」となる（ステップＳ１０９）。同様に、処理部２５は時刻参照部２３から現在時刻信号を入力して開始信号を生成し（ステップＳ１０８）、現在時刻信号に対応する開閉タイミング信号をメモリ２４から読み出し、これを用いて開閉制御部２２を介しシャッタ部２１を開閉する（ステップＳ１１０）。最後に、ステップＳ１０３で入力された一定時間が経過すると、処理部１６は「公衆画像表示モード」となり（ステップＳ１１１）、表示パネルユニット１０は「公衆画像表示」に戻る（ステップＳ１１２）。【０１３４】
本実施形態の制御プログラムによれば、表示パネルユニット１０と光シャッタ２０とで常に無線通信をしながらパネル部１１の表示とシャッタ部２１の開閉との同期をとるのではなく、現在時刻に対して表示及び開閉を同期させているので、無線通信の状態に起因する同期ずれを解消できる。【０１３５】
また、本実施形態の制御プログラムは、次のように言い換えることができる。【０１３６】
前述した各実施形態における表示装置の動作は、プログラム化してその表示装置内のコンピュータに実行させることもできる。その一例として、本実施形態の制御プログラムは、パネル部１１に複数画像を順次繰り返し表示させ、シャッタ部２１に複数画像中の特定画像表示に同期した開閉動作をさせるように、処理部１６，２５からそれぞれ表示制御部１２及び開閉制御部２２に生成した信号を送信する動作制御プログラムである。すなわち、処理部１６，２５から、目的とする画像表示以前に、表示制御部１２に対しては複数画像の表示タイミングが送られ、開閉制御部２２に対しては特定画像に同期した開閉タイミングが送られ、表示パネルユニット１０及び光シャッタ２０がそれぞれ備える時刻参照部１３，２３により参照されたある時刻に対して、表示制御部１２及び開閉制御部２２がそれぞれのタイミングに従って動作することを特徴とする。【０１３７】
これにより、一定周期の開閉タイミングで見ても、信号を傍受しても、資格を有しない光シャッタ２０の保持者には特定画像を視認することができない高いレベルのセキュリティを有し、かつ通信状態によらず特定画像表示と光シャッタ開閉タイミングの正確な同期を実現できる表示動作制御プログラムを提供できる。【０１３８】
なお、本実施形態の制御プログラムは、表示パネルユニット１０側と光シャッタ２０側とのそれぞれの処理部１６，２５に書込まれているが、それぞれを分散させて、画像入手や表示タイミングの通知など外部とのやりとりは処理部１６，２５に、画像表示に関しては表示制御部１２及び開閉制御部２２に書込まれていてもよい。また、制御プログラムが時刻参照部１３，２３に書込まれ、表示制御部１２及び開閉制御部２２は、時刻参照部１３，２３からの開始信号を受信すると同時に動作するという構成であってもよい。【０１３９】
また、図１１では公衆画像表示モードと秘密画像表示モードを視聴時に切替えるようにしているが、常に秘密画像表示モードで表示し、一定期間経過後は光シャッタの開閉タイミングが秘密画像の表示タイミングと一致しなくなるようなシステムであってもよい。更に、図示していないが、課金は、口座引き落としや通話料金への上乗せなどで行うようにしてもよい。【０１４０】
本実施形態の制御プログラムは図１の表示装置１の動作を実現するものであるが、本発明に係る制御プログラムは他の各実施形態の表示装置の動作を実現するものであってもよい。そのときの本発明に係る制御プログラムは、各実施形態の表示装置の動作に対応した構成となる。【０１４１】
次に、本発明に係る制御方法の一実施形態を、図１に基づき説明する。【０１４２】
本実施形態の制御方法は、図１の表示装置１の動作そのものである。本実施形態の表示パネルユニット１０の制御方法は、シャッタ部２１を開くことにより光を透過させシャッタ部２１を閉じることにより光を遮蔽する光シャッタ２０に対して、表示タイミング信号に従ってシャッタ部２１が開いている時に特定画像をパネル部１１に表示しシャッタ部２１が閉じている時に非特定画像をパネル部１１に表示するものである。そして、本実施形態の表示パネルユニット１０の制御方法は、現在時刻を示す現在時刻信号を入力し、この現在時刻信号に対応する表示タイミング信号を用いてパネル部１１に特定画像及び非特定画像を表示する、ことを特徴とする。【０１４３】
本実施形態の光シャッタ２０の制御方法は、特定画像と非特定画像とをパネル部１１に順次表示する表示パネルユニット１０に対して、開閉タイミング信号に従ってシャッタ部２１を開くことにより特定画像の光を透過させシャッタ部２１を閉じることにより非特定画像の光を遮蔽するものである。そして、本実施形態の光シャッタ２０の制御方法は、現在時刻を示す現在時刻信号を入力し、この現在時刻信号に対応する開閉タイミング信号を用いてシャッタ部２１を開閉する、ことを特徴とする。【０１４４】
本実施形態の制御方法によれば、表示パネルユニット１０と光シャッタ２０とで常に無線通信をしながらパネル部１１の表示とシャッタ部２１の開閉との同期をとるのではなく、現在時刻に対して表示及び開閉を同期させているので、無線通信の状態に起因する同期ずれを解消できる。【０１４５】
なお、本実施形態の制御方法は図１の表示装置１の動作であるが、本発明に係る制御方法は他の各実施形態の表示装置の動作であってもよい。そのときの本発明に係る制御方法は、各実施形態の表示装置の動作に対応した構成となる。【０１４６】
本発明に係る表示装置等は、言うまでもなく、上記各実施形態に限定されるものではない。各実施形態の構成の一部又は全部を矛盾しない範囲で相互に組み合わせたものも、本発明に含まれる。また、各実施形態を次のようにしたものも、本発明に含まれる。【０１４７】
光シャッタの使用者が表示パネルユニットや信号処理部に直接アクセスし、メニュー選択や、ＩＣカードなどへの必要情報の書込みなどを行い、そうしたＩＣカード類を光シャッタや情報処理部に接続して使用してもよい。このとき、表示パネルユニットは、タッチパネル方式であってもよい。これにより、信号処理部へのアクセスに情報処理部を使用せず、かつ通信機能やメニュー選択機能などを必要としない光シャッタの構成を実現することが可能となる。ただし、この場合、前記ＩＣカードなどには、パネル部の視認開始から終了までの全期間に渡る光シャッタ開閉タイミング情報が含まれていなければならない。【０１４８】
光シャッタや情報処理部には、特定画像視認に対する課金の決済機能を備えてもよい。信号処理部は、表示パネルユニットと分離していてもよいし、表示パネルユニットと一体化していてもよい。情報処理部には、例えば、携帯電話、ＰＤＡ、ノートＰＣなどを用いてよい。【０１４９】
光シャッタは、光の透過・遮蔽を高速で切替えられるものであればどのようなものでもよく、例えば、液晶を利用したものであってもよいし、機械式であってもよい。形状に特に制限はなく、メガネ型（通常使用するメガネへの装着型も含む）、カード型（方形である必要はない）、フィルム状など、どのような形状であってもよい。また、光シャッタ単体で存在する形状であってもよいし、情報処理部など他の機器に付属、又は組み込まれた形状であってもよい。【０１５０】
各実施形態の表示装置には、従来使用されている、開閉タイミングのリアルタイム送受信機能や遅延補正機能などが備えられていてよい。すなわち、各実施形態の表示装置には、従来使用されている、時刻情報に基づかない信号による画像表示機能・光シャッタの開閉機能や、無線リンク方式における遅延補正機能、開閉タイミングのリアルタイム送受信機能なども備えられていてよい。【０１５１】
本発明の他の実施形態に係る表示パネルユニットは、シャッタ部を開くことにより光を透過させ当該シャッタ部を閉じることにより光を遮蔽する光シャッタに対して、表示タイミング信号に従って前記シャッタ部が開いている時に特定画像をパネル部に表示し当該シャッタ部が閉じている時に非特定画像を当該パネル部に表示する表示制御部を備えたものである。そして、本発明に係る表示パネルユニットは、現在時刻を示す現在時刻信号を出力する時刻参照部と、この時刻参照部から出力された現在時刻信号に対応する前記表示タイミング信号を前記表示制御部へ出力する表示タイミング信号出力手段と、を備えた構成であってもよい。【０１５２】
本発明の他の実施形態に係る光シャッタは、特定画像と非特定画像とをパネル部に順次表示する表示パネルユニットに対して、開閉タイミング信号に従ってシャッタ部を開くことにより前記特定画像の光を透過させ当該シャッタ部を閉じることにより前記非特定画像の光を遮蔽する開閉制御部を備えものである。そして、本発明に係る光シャッタは、現在時刻を示す現在時刻信号を出力する時刻参照部と、この時刻参照部から出力された現在時刻信号に対応する前記開閉タイミング信号を前記開閉制御部へ出力する開閉タイミング信号出力手段と、を備えた構成であってもよい。【０１５３】
本発明の他の実施形態に係る表示パネルユニットの制御方法は、シャッタ部を開くことにより光を透過させ当該シャッタ部を閉じることにより光を遮蔽する光シャッタに対して、表示タイミング信号に従って前記シャッタ部が開いている時に特定画像をパネル部に表示し当該シャッタ部が閉じている時に非特定画像を当該パネル部に表示するものである。そして、本発明に係る表示パネルユニットの制御方法は、現在時刻を示す現在時刻信号を入力し、この現在時刻信号に対応する前記表示タイミング信号を用いて前記パネル部に前記特定画像及び前記非特定画像を表示する構成であってもよい。【０１５４】
本発明の他の実施形態に係る光シャッタの制御方法は、特定画像と非特定画像とをパネル部に順次表示する表示パネルユニットに対して、開閉タイミング信号に従ってシャッタ部を開くことにより前記特定画像の光を透過させ当該シャッタ部を閉じることにより前記非特定画像の光を遮蔽するものである。そして、本発明に係る光シャッタの制御方法は、現在時刻を示す現在時刻信号を入力し、この現在時刻信号に対応する前記開閉タイミング信号を用いて前記シャッタ部を開閉する構成であってもよい。【０１５５】
本発明の他の実施形態に係る表示パネルユニットの制御プログラムは、シャッタ部を開くことにより光を透過させ当該シャッタ部を閉じることにより光を遮蔽する光シャッタに対して、表示タイミング信号に従って前記シャッタ部が開いている時に特定画像をパネル部に表示し当該シャッタ部が閉じている時に非特定画像を当該パネル部に表示するためのものである。そして、本発明に係る表示パネルユニットの制御プログラムは、現在時刻を示す現在時刻信号を入力する処理と、この現在時刻信号に対応する前記表示タイミング信号を用いて前記パネル部に前記特定画像及び前記非特定画像を表示する処理とを、コンピュータに実行させる構成であってもよい。【０１５６】
本発明の他の実施形態に係る光シャッタの制御プログラムは、特定画像と非特定画像とをパネル部に順次表示する表示パネルユニットに対して、開閉タイミング信号に従ってシャッタ部を開くことにより前記特定画像の光を透過させ当該シャッタ部を閉じることにより前記非特定画像の光を遮蔽するためのものである。そして、本発明に係る光シャッタの制御プログラムは、現在時刻を示す現在時刻信号を入力する処理と、この現在時刻信号に対応する前記開閉タイミング信号を用いて前記シャッタ部を開閉する処理とを、コンピュータに実行させる構成であってもよい。【０１５７】
本発明は、複数画像を高速で切替えて表示し、特定の画像表示に同期して光シャッタの開閉を行う表示装置において、高いセキュリティを保持した状態で、信号の受信状態によらず特定画像表示と光シャッタの開閉タイミングに同期ずれのない表示装置、その表示装置で用いられる表示方法を提供することができる。【０１５８】
以上、実施形態（及び実施例）を参照して本願発明を説明したが、本願発明は上記実施形態（及び実施例）に限定されるものではない。本願発明の構成や詳細には、本願発明のスコープ内で当業者が理解し得る様々な変更をすることができる。【０１５９】
この出願は２００７年１０月５日に出願された日本出願特願２００７−２６２７３６を基礎とする優先権を主張し、その開示の全てをここに取り込む。
【産業上の利用可能性】
【０１６０】
本発明によれば、複数画像を高速で切替えて表示し、特定の画像表示に同期して光シャッタの開閉を行う表示装置において、高いセキュリティを保持した状態で、信号の受信状態によらず特定画像表示と光シャッタの開閉タイミングが一致することを可能とするので、このような情報処理端末や情報通信などの分野に広範囲に利用される可能性を有している。
【図面の簡単な説明】
【０１６１】
【図１】本発明に係る表示装置の第一実施形態を示すブロック図である。
【図２】図１の表示装置の使用方法を示す概略図である。
【図３】本発明に係る表示装置の第二実施形態を示すブロック図である。
【図４】本発明に係る表示装置の第三実施形態を示すブロック図である。
【図５】本発明に係る表示装置の第四実施形態を示すブロック図である。
【図６】本発明に係る表示装置の第五実施形態を示すブロック図である。
【図７】本発明の各実施形態で用いられる開閉タイミング信号の一例を示す図表である。
【図８】本発明に係る表示装置の第六実施形態を示すブロック図である。
【図９】図６又は図７の表示装置の使用方法の一例を示す説明図である。
【図１０】本発明に係る表示装置の第七実施形態を示すブロック図である。
【図１１】本発明に係る制御プログラムの一実施形態を示すフローチャートである。
【図１２】特許文献１の表示装置の構成及び画像表示タイミングを示す説明図である。
【図１３】特許文献２の表示装置を示すブロック図である。
【符号の説明】
【０１６２】
１，２，３，４  表示装置
１０，４０，１４０，１９０，２４０，２９０  表示パネルユニット
１０ａ，４０ａ，１４０ａ，１９０ａ，２９０ａ  表示タイミング信号出力部
１１，４１，１４１，１９１，２９１  パネル部
１２，４２，１４２，１９２，２９２  表示制御部
１３，４３，１４３，１９３，２９３  時刻参照部
１５，５２，１６２  信号生成部（タイミング信号生成部）
１７，５１，１６１，２１１，３１１  通信部（無線送信部）
１９５，２９５  符号器（表示タイミング信号生成部）
１９６，２９６  ＰＲＮ発生器（乱数信号生成部）
２１２，３１２  信号生成部（初期値信号生成部）
２０，７０，１３０，１５０，２００，２６１〜２６３，３００  光シャッタ
２０ａ，７０ａ，１３０ａ，１５０ａ，２００ａ，３００ａ  開閉タイミング信号出力部
２１，７１，１３１，１５１，２０１，３０１  シャッタ部
２２，７２，１３２，１５２，２０２，３０２  開閉制御部
２３，７３，１３４，１７３，２０３  時刻参照部
２６，５１，８４，１３６，１７５，２２４，３２８  通信部（無線受信部）
１３３  調整機能部
２０５，３０４  符号器（開閉タイミング信号生成部）
２０６，３０５  ＰＲＮ発生器（乱数信号生成部）
３２３  ＧＰＳ計時部
５０，１６０，２１０，２５０  信号処理部
８０，１７０，２２０，２７１〜２７３  情報処理部
【図１】
0005402637.tif 000002
【図２】
0005402637.tif 000003
【図３】
0005402637.tif 000004
【図４】
0005402637.tif 000005
【図５】
0005402637.tif 000006
【図６】
0005402637.tif 000007
【図７】
0005402637.tif 000008
【図８】
0005402637.tif 000009
【図９】
0005402637.tif 000010
【図１０】
0005402637.tif 000011
【図１１】
0005402637.tif 000012
【図１２】
0005402637.tif 000013
【図１３】
0005402637.tif 000014